(57)【特許請求の範囲】
【請求項１】
ＴＲＭ領域を有するリムーバブルハードディスクに放送データを蓄積する蓄積装置において、
コピー制御情報により蓄積期間が制限された放送データを受信する受信手段と、該蓄積期間が制限された放送データを暗号化する暗号化手段と、該暗号化した放送データを前記リムーバブルハードディスクに蓄積する蓄積制御手段とを備え、
前記蓄積制御手段は、前記コピー制御情報に基づいて、前記暗号化した放送データを復号化するために必要な復号情報と、前記暗号化した放送データの蓄積期間を制限するための利用期限情報とを含むライセンス情報を生成し、該生成したライセンス情報を前記リムーバブルハードディスクのＴＲＭ領域に蓄積する蓄積装置。
【請求項２】
請求項１に記載の蓄積装置において、前記蓄積制御手段は、前記放送データの前記リムーバブルハードディスクに蓄積された期間をカウントし、該カウントした期間に基づいて前記放送データの利用期限情報を更新処理する蓄積装置。
【請求項３】
請求項１又は２に記載の蓄積装置において、前記蓄積制御手段は、前記放送データを、該放送データを識別するための属性情報と共に前記リムーバブルハードディスクに蓄積できるようにした蓄積装置。
【請求項４】
請求項３に記載の蓄積装置において、前記蓄積制御手段は、前記蓄積装置の初期化時に、利用期限を過ぎた放送データを消去する蓄積装置。
【請求項５】
ＴＲＭ領域を有するリムーバブルハードディスクに放送データを蓄積する蓄積装置による蓄積方法において、
前記蓄積装置が、コピー制御情報により蓄積期間が制限された放送データを受信するステップと、
前記蓄積期間が制限された放送データを暗号化するステップと、
前記暗号化した放送データを前記リムーバブルハードディスクに蓄積するステップと、
前記コピー制御情報に基づいて、前記暗号化した放送データを復号化するために必要な復号情報と、前記暗号化した放送データの蓄積期間を制限するための利用期限情報とを含むライセンス情報を生成し、該生成したライセンス情報を前記リムーバブルハードディスクのＴＲＭ領域に蓄積するステップとを有する蓄積方法。
【請求項６】
ＴＲＭ領域を有するリムーバブルハードディスクを着脱可能に接続するための入出力部と、該リムーバブルハードディスクに放送データを一時的に蓄積する蓄積部とを備えた映像表示装置において、
コピー制御情報により蓄積期間が制限された放送データを受信する受信手段と、該蓄積期間が制限された放送データを暗号化する暗号化手段と、該暗号化した放送データを前記リムーバブルハードディスクに蓄積する蓄積制御手段とを備え、
前記蓄積制御手段は、前記コピー制御情報に基づいて、前記暗号化した放送データを復号化するために必要な復号情報と、前記暗号化した放送データの蓄積期間を制限するための利用期限情報とを含むライセンス情報を生成し、該生成したライセンス情報を前記リムーバブルハードディスクのＴＲＭ領域に蓄積する映像表示装置。
【発明の詳細な説明】
【技術分野】
【０００１】
本発明は、蓄積装置、方法、及び映像表示装置、より詳細には、デジタル放送などコピー制御情報を含むストリームを蓄積するための装置、方法に関し、コピー制御情報により複製が禁止されたストリームを記録媒体に一時蓄積し、視聴するための蓄積装置、その蓄積方法、及び映像表示装置に関する。
【背景技術】
【０００２】
デジタルデータの著作権保護のため、デジタルデータにコピー制御情報を付加することが行われている。このコピー制御情報は、例えば、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ、非特許文献１参照）では、ストリームと同時に伝送されるＣＣＩ（Ｃｏｐｙ  Ｃｏｎｔｒｏｌ  Ｉｎｆｏｍａｔｉｏｎ）またはパケットヘッダに含まれるＥＭＩ（Ｅｎｃｒｙｐｔｉｏｎ  Ｍｏｄｅ  Ｉｎｄｉｃａｔｏｒ）へ２ビットの情報として記録されている。その２ビットの情報により、以下の４種類のコピー制御が指定される。すなわち、Ｃｏｐｙ−ｆｒｅｅ（制約条件なしにコピー可）、Ｎｏ−ｍｏｒｅ−ｃｏｐｉｅｓ（再コピー禁止）、Ｃｏｐｙ−ｏｎｅ−ｇｅｎｅｒａｔｉｏｎ（１世代のみコピー可）、Ｃｏｐｙ  ｎｅｖｅｒ（コピー禁止）である。
【０００３】
Ｃｏｐｙ−ｆｒｅｅが指定されたストリームは、蓄積と記録が可能である。ここで、「蓄積」とは記録した機器でのみ再生可能な記録処理のことをいい、「記録」とは記録した機器以外の機器でも再生可能な記録処理のことをいう。また、Ｃｏｐｙ−ｏｎｅ−ｇｅｎｅｒａｔｉｏｎが指定されたストリームも、ストリームのコピー制御情報をＮｏ−ｍｏｒｅ−ｃｏｐｉｅｓにすることにより、蓄積と記録が可能となる。また、Ｎｏ−ｍｏｒｅ−ｃｏｐｉｅｓが指定されたストリームは、蓄積も記録も不可能である。一方、Ｃｏｐｙ  ｎｅｖｅｒが指定されたストリームは、記録は不可能であるが、そのストリームを遅延して表示する用途に用いるときにのみ、ストリームと同時に伝送されるＲｅｔｅｎｔｉｏｎ  Ｓｔａｔｅ  Ｆｉｅｌｄで指定されるＲｅｔｅｎｔｉｏｎ  Ｔｉｍｅの時間だけ蓄積しても良い。このＲｅｔｅｎｔｉｏｎ  Ｓｔａｔｅは、３ビットの情報からなり、その情報とＲｅｔｅｎｔｉｏｎ  Ｔｉｍｅの対応は以下の図９に示すようになっている。
【０００４】
図９は、Ｒｅｔｅｎｔｉｏｎ  Ｓｔａｔｅ（３ビットの情報）とＲｅｔｅｎｔｉｏｎ  Ｔｉｍｅとの対応関係を示す図である。このように、Ｒｅｔｅｎｔｉｏｎ  Ｓｔａｔｅに対応して、Ｒｅｔｅｎｔｉｏｎ  Ｔｉｍｅが設定され、このＲｅｔｅｎｔｉｏｎ  Ｔｉｍｅの時間だけストリームの蓄積が可能となる。
【０００５】
また、ＢＳデジタル放送／ＣＳデジタル放送においても同様の運用がなされている（例えば、非特許文献２、非特許文献３参照）。ＣＣＩまたはＥＭＩに相当するものは、ストリームと同時に伝送されるデジタルコピー制御記述子に含まれるｄｉｇｉｔａｌ  ｒｅｃｏｒｄｉｎｇ  ｃｏｎｔｒｏｌ  ｄａｔａである。ｄｉｇｉｔａｌ  ｒｅｃｏｒｄｉｎｇ  ｃｏｎｔｒｏｌ  ｄａｔａは２ビットのデータであって、その値により「制約条件なしにコピー可」，「１世代のみコピー可」，「コピー禁止」が指定される。なお、放送において「再コピー禁止」に相当するパターンは規定されておらず、その場合は「コピー禁止」と解釈される。
【０００６】
また、一時蓄積が可能な時間は、ｒｅｔｅｎｔｉｏｎ  ｍｏｄｅ（１ビット）とｒｅｔｅｎｔｉｏｎ  ｓｔａｔｅ（３ビット）で指定される。すなわち「コピー禁止」のストリームであってもｒｅｔｅｎｔｉｏｎ  ｍｏｄｅが０の場合は、ｒｅｔｅｎｔｉｏｎ  ｓｔａｔｅで指定される一時蓄積許容時間だけ、蓄積を行ってもよい。上記における、「ストリームを遅延して表示する」機能は、典型的にはタイムシフト機能と呼ばれる機能として、ハードディスク内蔵型レコーダにおいて実現されている。
【０００７】
従来、ストリームを蓄積するときには、ストリームに３つの状態を持たせていた。１つ目は「制約条件無しにコピー可」であって、これはＣｏｐｙ  Ｆｒｅｅのストリームを蓄積しているときである。２つ目は「再コピー禁止」であってＣｏｐｙ  Ｏｎｃｅのストリームを蓄積しているときである。そして３つ目が「一時蓄積」であって、これはＣｏｐｙ  ｎｅｖｅｒのストリームを蓄積しているときである。「一時蓄積」の状態のストリームは一時蓄積許容時間を過ぎたコンテンツを再生不能化する必要がある。
【０００８】
コンテンツの再生不能化の方法に関して、例えば、特許文献１には、時間とともに変化する乱数値をもとに暗号鍵を生成し、一定時間後に乱数値の保持を解除することにより、コンテンツを再生不能化したものが開示されている。
【０００９】
また、特許文献２には、記憶媒体（ＡＶ−ＨＤＤ）が内部時計とタイマを保持し、所定時間を経過したら複製禁止データを消去する機能を持った記録再生装置が開示されている。
【特許文献１】
特開２００３−３３３０３０号公報
【特許文献２】
特開２００３−１４０９７６号公報
【非特許文献１】
Ｄｉｇｉｔａｌ  Ｔｒａｎｓｍｉｓｓｉｏｎ  Ｃｏｎｔｅｎｔ  Ｐｒｏｔｅｃｔｉｏｎ  Ｓｐｅｃｉｆｉｃａｔｉｏｎ  Ｖｏｌｕｍｅ  １（Ｉｎｆｏｒｍａｔｉｏｎａｌ  Ｖｅｒｓｉｏｎ）
【非特許文献２】
ＡＲＩＢ（社団法人  電波産業会）編，「ＢＳ／広帯域ＣＳデジタル放送運用規定、資料番号：ＡＲＩＢ  ＴＲ−Ｂ１５」，２.９版  第８編，平成１６年２月
【非特許文献３】
ＡＲＩＢ（社団法人  電波産業会）編，「デジタル放送に使用する番組配列情報、資料番号：ＡＲＩＢ  ＳＴＤ−Ｂ１０」，３．８版，平成１６年２月
【００１０】
一方で、着脱可能な記録媒体においてコンテンツを一時蓄積することはあまり考慮されていない。例えば、読み書き可能なＤＶＤ（Ｄｉｇｉｔａｌ  Ｖｅｒｓａｔｉｌｅ  Ｄｉｓｋ）には、前記ＤＶＤで用いられている形式で一時蓄積することは不可能である。なぜなら、記録不可のストリームをＤＶＤに一時蓄積しているときに、電源を落として、ＤＶＤを強制的に取り出した場合、その記録内容は、他の記録装置で無制限に利用できてしまう。
【００１１】
これに対して、上記特許文献２に開示された記録再生装置は、外部接続機器（ＡＶ−ＨＤＤ）に映像データを一時蓄積可能としている。しかしながら、当該記録再生装置は、記録媒体内部に内部時計とタイマを保持している必要があった。例えば、記録媒体としてハードディスクを用いる場合、従来のハードディスクは内部時計を保持しておらず、そのため内部時計やタイマを保持すると、それはコストアップの要因となる。
【００１２】
本発明は、上述のごとき実情に鑑みてなされたものであり、コピー制御情報により蓄積期間が制限されたデータを着脱可能な記録媒体に一時蓄積するときに、そのデータを暗号化し、暗号化したデータを復号するのに必要な復号情報（暗号鍵など）を装置側に保持することにより、当該データが一時蓄積の許容期限を超えて不正に利用できないようにすること、
【００１３】
更には、着脱可能な記録媒体に内部時計やタイマ等の部品を付加することなく、従来の記録媒体をそのまま利用できるようにして、簡易な装置構成により、当該データが一時蓄積の許容期限を超えて不正に利用できないようにした蓄積装置、方法、及び映像表示装置を提供すること、を目的としてなされたものである。
【課題を解決するための手段】
【００１４】
上記課題を解決するために、本発明の第１の技術手段は、ＴＲＭ領域を有するリムーバブルハードディスクに放送データを蓄積する蓄積装置において、コピー制御情報により蓄積期間が制限された放送データを受信する受信手段と、該蓄積期間が制限された放送データを暗号化する暗号化手段と、該暗号化した放送データを前記リムーバブルハードディスクに蓄積する蓄積制御手段とを備え、前記蓄積制御手段は、前記コピー制御情報に基づいて、前記暗号化した放送データを復号化するために必要な復号情報と、前記暗号化した放送データの蓄積期間を制限するための利用期限情報とを含むライセンス情報を生成し、該生成したライセンス情報を前記リムーバブルハードディスクのＴＲＭ領域に蓄積するものである。
【００１５】
第２の技術手段は、第１の技術手段において、前記蓄積制御手段は、前記放送データの前記リムーバブルハードディスクに蓄積された期間をカウントし、該カウントした期間に基づいて前記放送データの利用期限情報を更新処理するものである。
【００１６】
第３の技術手段は、第１又は第２の技術手段において、前記蓄積制御手段は、前記放送データを、該放送データを識別するための属性情報と共に前記リムーバブルハードディスクに蓄積できるようにしたものである。
【００１７】
第４の技術手段は、第３の技術手段において、前記蓄積制御手段は、前記蓄積装置の初期化時に、利用期限を過ぎた放送データを消去するものである。
【００１８】
第５の技術手段は、ＴＲＭ領域を有するリムーバブルハードディスクに放送データを蓄積する蓄積装置による蓄積方法において、前記蓄積装置が、コピー制御情報により蓄積期間が制限された放送データを受信するステップと、前記蓄積期間が制限された放送データを暗号化するステップと、前記暗号化した放送データを前記リムーバブルハードディスクに蓄積するステップと、前記コピー制御情報に基づいて、前記暗号化した放送データを復号化するために必要な復号情報と、前記暗号化した放送データの蓄積期間を制限するための利用期限情報とを含むライセンス情報を生成し、該生成したライセンス情報を前記リムーバブルハードディスクのＴＲＭ領域に蓄積するステップとを有するものである。
【００１９】
第６の技術手段は、ＴＲＭ領域を有するリムーバブルハードディスクを着脱可能に接続するための入出力部と、該リムーバブルハードディスクに放送データを一時的に蓄積する蓄積部とを備えた映像表示装置において、コピー制御情報により蓄積期間が制限された放送データを受信する受信手段と、該蓄積期間が制限された放送データを暗号化する暗号化手段と、該暗号化した放送データを前記リムーバブルハードディスクに蓄積する蓄積制御手段とを備え、前記蓄積制御手段は、前記コピー制御情報に基づいて、前記暗号化した放送データを復号化するために必要な復号情報と、前記暗号化した放送データの蓄積期間を制限するための利用期限情報とを含むライセンス情報を生成し、該生成したライセンス情報を前記リムーバブルハードディスクのＴＲＭ領域に蓄積するものである。
［００２１］
［００２２］
［００２３］
［００２４］
【発明の効果】
［００２５］  コピー制御情報により蓄積期間が制限されたデータを着説可能な記録媒体に一時蓄積するときに、そのデータを暗号化し、暗号化したデータを復号するのに必要な復号情報（暗号鍵など）を装置側に保持することにより、当該データが一時蓄積の許容期限を超えて利用されるといった不正利用を防止することができる。
［００２６］  更には、記録媒体に内部時計やタイマ等の部品を付加することなく、従来の記録媒体をそのまま利用できるようにして、簡易な装置構成により、当該データが一時蓄積の許容期限を超えて利用されるといった不正利用を防止することができるため、従来技術のようにコストアップすることがない。
【図面の簡単な説明】
［００２７］
［図１］本発明の一実施形態に係る蓄積装置の基本的な構成例を示すブロック図である。
【図２】本発明の第１の実施形態に係る蓄積装置の処理手順の一例を説明するためのフロー図である。
【図３】本発明の第１の実施形態に係る蓄積装置の処理手順の他の例を説明するためのフロー図である。
【図４】本発明の第１の実施形態に係る蓄積装置の処理手順の他の例を説明するためのフロー図である。
【図５】本発明の他の実施形態に係る蓄積装置の基本的な構成例を示すブロック図である。
【図６】本発明の第２の実施形態に係る蓄積装置の処理手順の一例を説明するためのフロー図である。
【図７】本発明の第２の実施形態に係る蓄積装置の処理手順の他の例を説明するためのフロー図である。
【図８】本発明に係る蓄積装置を備えた映像表示装置の外観の一例を示す図である。
【図９】Ｒｅｔｅｎｔｉｏｎ  Ｓｔａｔｅ（３ビットの情報）とＲｅｔｅｎｔｉｏｎ  Ｔｉｍｅとの対応関係を示す図である。
【符号の説明】
【００２８】
１，１０１…蓄積装置、２，１０２，２０２…外部入出力Ｉ／Ｆ、３，１０３…受信部、４，１０４…ユーザＩ／Ｆ、５，１０５…制御部、６，１０６…暗号化部、７，１０７…再生部、８，１０８…バッファ、９，１０９…操作入力手段、１０，１１０，２０１…表示手段、１１，１１１…リムーバブル記録媒体、２００…映像表示装置、２０３…保持部。
【発明を実施するための最良の形態】
【００２９】
本発明では、着脱可能な記録媒体としてリムーバブルハードディスクを用いるが、必ずしもこれに限定されるものではなく、読み書き可能なＤＶＤ／光磁気ディスクなどのランダムアクセスと高速アクセスが可能な記録媒体であればなんでも良い。
【００３０】
また、この記録媒体はライセンス情報を記録する場合には、ノーマル領域とセキュア領域を持つことが好ましい。セキュア領域は、記録媒体のＴＲＭ（Ｔａｍｐｅｒ  Ｒｅｓｉｓｔａｎｔ  Ｍｏｄｕｌｅ）領域に設けられる。セキュア領域は読み書きに特別な手順が必要で、利用者やアプリケーションが自由には参照したり／変更したりできない領域である。ノーマル領域は利用者やアプリケーションが自由に参照したり変更したりできる領域である。
【００３１】
本発明において、ライセンスとは、主にコンテンツ利用に必要な情報とコンテンツの利用条件等を含む情報であって、コンテンツ利用に必要な情報としては、例えば、コンテンツの符号化方式／暗号化方式／共通鍵方式で暗号化されたコンテンツを復号するためのコンテンツの暗号鍵などが該当する。また、コンテンツの利用条件としては、前述のコピー制御情報の他に、利用可能期間／年齢視聴制限等の情報が該当する。これらのセキュア領域にライセンスを記録できるハードディスクとしては、ｉＶＤＲ（ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）が検討されている。ｉＶＤＲはリムーバブルな記録媒体であって、コンテンツとライセンスを記録する機能を保持している。なお、記録媒体に映像を記録したり再生したりする手順に関しては、既存のハードディスクレコーダ等と同様である。
【００３２】
＜第１の実施形態＞
本実施形態は、リムーバブル記録媒体内に暗号化したコンテンツを記録すると共に、蓄積装置内にコンテンツの暗号化鍵を記録している蓄積装置について説明する。尚、以下の各実施形態において、対象とするコンテンツとして、例えば、映像データ及び／又は音声データ等からなるＡＶデータ，ゲームなどのアプリケーションプログラム／データなどが含まれる。以下、コンテンツとしてＡＶデータを代表例として説明する。
【００３３】
図１は、本発明の一実施形態に係る蓄積装置の基本的な構成例を示すブロック図で、図中、１は蓄積装置で、該蓄積装置１は、リムーバブル記録媒体１１を着脱可能に接続するための外部入出力インタフェース（Ｉ／Ｆ）２，コンテンツとしてＡＶデータ（以下、単に映像データという）を入力するための受信部３，操作入力手段９からの操作信号を入力するユーザＩ／Ｆ４，蓄積装置１を制御するＣＰＵやメモリ等を備えた制御部５，映像データを暗号化／復号化する暗号化部６，映像データを再生する再生部７，映像データを一時的に保持するバッファ８から構成されている。また、操作入力手段９及び表示手段１０は、蓄積装置１と一体または外部接続されて配置される。また、リムーバブル記録媒体１１は、蓄積装置１とは独立して、蓄積装置１に着脱可能に配置される。尚、図中、点線の矢印は制御信号の流れ、実線の矢印はデータ信号の流れを示す。
【００３４】
上記各部についてより詳細に説明する。外部入出力Ｉ／Ｆ２は、蓄積装置１とリムーバブル記録媒体１１を接続するためのインタフェースである。この外部入出力Ｉ／Ｆ２は、リムーバブル記録媒体１１の着脱機構とデータの読み書きを行うインタフェースも保持している。受信部３は、映像データを入力するための手段であって、例えば、デジタル放送信号あるいはアナログ放送信号を受信するチューナや、ＩＥＥＥ１３９４インタフェースなどの入力手段であってもよい。
【００３５】
ユーザＩ／Ｆ４は、デジタル放送の選局や録画再生動作等の、蓄積装置１における動作の選択を行う部分である。制御部５は、ユーザＩ／Ｆ４からの入力に基づき、各構成部の制御を行う部分である。暗号化部６は、映像データの暗号化／復号化を行う部分である。再生部７は、映像データの再生を行う部分である。バッファ８は、受信または再生のためのデータを一時的にためるためのバッファである。操作入力手段９は、利用者が蓄積装置１を操作するための手段である。表示手段１０は、映像データおよびユーザＩ／Ｆ４により作成されるＯＳＤ（Ｏｎ  Ｓｃｒｅｅｎ  Ｄｉｓｐｌａｙ）を表示するためのものである。リムーバブル記録媒体１１は、主に暗号化したビデオ（映像）データを記録する。
【００３６】
外部入出力Ｉ／Ｆ２におけるリムーバブル記録媒体１１とのデータの読み書きを行うインタフェースとして、本実施形態では、例えばＡＴＡ（ＡＴ  Ａｔｔａｃｈｍｅｎｔ）インタフェースを用いるが、ＵＳＢ（Ｕｎｉｖｅｒｓａｌ  Ｓｅｒｉａｌ  Ｂｕｓ）や、ＩＥＥＥ１３９４などのインタフェースを用いてもよい。また、本実施形態では、受信部３はデジタル放送信号の受信手段である。リムーバブル記録媒体１１へのデータの読み書きと、デジタル放送信号の受信部３に関しては、従来のハードディスク内蔵型デジタル放送受信装置と同様である。
【００３７】
暗号化部６は、後述するように共通鍵暗号で、映像データの暗号化／復号化を行う。ここで用いる共通鍵暗号としては、例えば、トリプルＤＥＳ（Ｄａｔａ  Ｅｎｃｒｙｐｔｉｏｎ  Ｓｔａｎｄａｒｄ）や、ＡＥＳ（Ａｄｖａｎｃｅｄ  Ｅｎｃｒｙｐｔｉｏｎ  Ｓｔａｎｄａｒｄ）などが利用可能である。再生部７は、映像データのデコードを行うデコーダである。
【００３８】
操作入力手段９は、典型的には操作リモコンや、蓄積装置１に具備されているボタンなどである。表示手段１０は、例えば、液晶ディスプレイや、プラズマディスプレイ、ＥＬディスプレイなどである。また、リムーバル記録媒体１１はリムーバブルハードディスクである。
【００３９】
図２は、本発明の第１の実施形態に係る蓄積装置１の処理手順の一例を説明するためのフロー図である。本例では一時蓄積をおこなっていない通常の視聴状態における処理について説明する。
まず、蓄積装置１は、受信部３より映像信号を入力する（ステップＳ１）。この映像信号は、デジタル放送を選局したＴＳ（Ｔｒａｎｓｐｏｒｔ  Ｓｔｒｅａｍ）またはＰＳ（Ｐｒｏｇｒａｍ  Ｓｔｒｅａｍ）である。選局するチャンネルは、フローには明示していないが、あらかじめユーザＩ／Ｆ４を介して、操作入力手段９により利用者によって選択されている。制御部５はユーザＩ／Ｆ４からの選局するべきチャンネルの情報を受信部３に対して入力し、受信部３ではその情報に基づき選局動作を行う。
【００４０】
次に、蓄積装置１は、受信部３からの映像データをバッファ８に一時的に蓄積し、再生部７はバッファ８の映像データを入力する（ステップＳ２）。最後に、再生部７は映像データのデコード処理を行い、映像信号を表示手段１０に出力する（ステップＳ３）。
【００４１】
本実施形態における蓄積装置１は、Ｃｏｐｙ  Ｆｒｅｅの映像データを記録することも可能である。そのときは、受信部３からバッファ８に入力された映像データを暗号化部６，外部入出力Ｉ／Ｆ２を介して、リムーバブル記録媒体１１に記録する。このとき暗号化部６では、必ずしも暗号化をする必要はない。基本的な動作は、従来のハードディスク内蔵型デジタル放送受信装置と同様である。
【００４２】
同様に、本実施形態における蓄積装置１は、リムーバブル記録媒体１１に記録された映像データを再生することも可能である。そのときは、外部入出力Ｉ／Ｆ２，暗号化部６を介して、リムーバブル記録媒体１１に記録されている映像データをバッファ８に読み込み、再生部７でデコード処理を行い、表示手段１０に映像信号を出力する。ここでの基本的な動作も、従来のハードディスク内蔵型デジタル放送受信装置と同様である。蓄積および再生動作の選択はユーザＩ／Ｆ４を介して行われる。
【００４３】
図３は、本発明の第１の実施形態に係る蓄積装置１の処理手順の他の例を説明するためのフロー図である。本例では、所定期間だけ蓄積可能な映像データ（Ｃｏｐｙ  Ｎｅｖｅｒ）を、リムーバブル記録媒体１１に一時的に蓄積する方法について説明する。尚、図３のフローには図示していないが、受信部３において、映像データに重畳されたデジタルコピー制御記述子を抽出しており、制御部５には、受信している映像データがＣｏｐｙ  Ｎｅｖｅｒであることが入力されている。
【００４４】
まず、蓄積装置１において、制御部５は、暗号化した映像データを復号化するために必要な復号情報として暗号鍵Ｋｃを生成する（ステップＳ１１）。この暗号鍵Ｋｃは蓄積装置１が備える内部メモリ等に保持するようにする。暗号鍵Ｋｃはコンテンツごとに作り直される共通鍵暗号の鍵である。生成された暗号鍵Ｋｃは暗号化部６に設定される。次に、受信部３から映像データを入力する（ステップＳ１２）。本処理は図２に示したステップＳ１と同様な処理である。次に、受信部３からの映像データをバッファ８に一時的に蓄積し（ステップＳ１３）、暗号化部６はバッファ８の映像データを、暗号鍵Ｋｃで暗号化する（ステップＳ１４）。次に、蓄積装置１は、暗号化された映像データを外部入出力Ｉ／Ｆ２経由で、リムーバブル記録媒体１１に記録する（ステップＳ１５）。
【００４５】
この際、リムーバブル記録媒体１１に記録された映像データは、図９に示したＲｅｔｅｎｔｉｏｎ  Ｔｉｍｅに記録された時間で再生不能化処理がなされる。Ｒｅｔｅｎｔｉｏｎ  Ｔｉｍｅは、受信部３において抽出され、制御部５に入力される。制御部５は、外部入出力Ｉ／Ｆ２を介して、再生不能化処理を行う。この再生不能化処理は、ＤＶＤレコーダなどの所謂シーン消去の機能などと同様である。
【００４６】
図４は、本発明の第１の実施形態に係る蓄積装置１の処理手順の他の例を説明するためのフロー図である。本例では一時的に蓄積された暗号化映像データを再生する方法について説明する。まず、蓄積装置１は、暗号鍵Ｋｃを取得する（ステップＳ２１）。暗号鍵Ｋｃは蓄積装置１内で且つリムーバブル記録媒体１１の外部に保持されているので、リムーバブル記録媒体１１を別の記録再生装置などへ接続しても、記録されている映像データを利用することはできない。次に、蓄積装置１は、外部入出力Ｉ／Ｆ２を介してリムーバブル記録媒体１１に記録されている暗号化された映像データを取得する（ステップＳ２２）。次に、暗号化部６において暗号鍵Ｋｃで復号化処理を行い、バッファ８に復号結果を書き込む（ステップＳ２３）。バッファ８の復号化された映像データは再生部７に送られ（ステップＳ２４）、再生部７でデコード処理を行い、表示手段１０に映像信号を出力する（ステップＳ２５）。
【００４７】
以上のようにすることで、コピー制御情報によって複製禁止されたデータをリムーバブル記録媒体１１に一時蓄積して利用することができる。本実施形態においては、暗号鍵Ｋｃをリムーバブル記録媒体１１には保持していないので、リムーバブル記録媒体１１だけを取り出しても、当該複製禁止データを利用することはできない。
【００４８】
本発明において、受信部３はデジタル放送信号の受信手段であったが、アナログ放送信号の受信手段であってもよく、あるいは、ＩＥＥＥ１３９４インタフェースなどの入力手段であっても良い。尚、受信部３がアナログ放送信号の受信手段の場合には、受信部３は映像データのデジタル信号への符号化機能を有する。そして、アナログ信号に重畳されているＣＧＭＳ（Ｃｏｎｔｅｎｔｓ  Ｇｅｎｅｒａｔｉｏｎ  Ｍａｎａｇｅｍｅｎｔ  Ｓｙｓｔｅｍ）に規定されているコピー制御に従い、コピー禁止の場合は上述のごとく動作を行う。また、受信部３がＩＥＥＥ１３９４インタフェースの場合は、ＤＴＣＰに規定されているコピー制御に従う。尚、本実施形態において、Ｃｏｐｙ  ＦｒｅｅやＣｏｐｙ  Ｏｎｃｅのデータに関しては、従来の記録再生装置と同様にして利用してよい。
【００４９】
＜第２の実施形態＞
本実施形態は、リムーバブル記録媒体内に暗号化したコンテンツ（以下、映像データ）と共に、その映像データの利用条件を含むライセンス情報を記録するための蓄積装置について説明する。
図５は、本発明の他の実施形態に係る蓄積装置の基本的な構成例を示すブロック図で、図中、１０１は蓄積装置で、該蓄積装置１０１は、外部入出力Ｉ／Ｆ１０２，受信部１０３，ユーザＩ／Ｆ１０４，制御部１０５，暗号化部１０６，再生部１０７，及びバッファ１０８から構成されている。また、操作入力手段１０９及び表示手段１１０は、蓄積装置１０１と一体または外部接続されて配置される。また、リムーバブル記録媒体１１１は、蓄積装置１０１とは独立して、蓄積装置１０１に着脱可能に配置される。尚、図中、点線の矢印は制御信号の流れ、実線の矢印はデータ信号の流れを示す。以下、第１の実施形態と異なる部分について説明を行う。
【００５０】
リムーバブル記録媒体１１１は、暗号化したビデオ（映像）データの他に、内部のセキュアな領域にライセンス情報を記録する。このライセンス情報には、映像データの復号化に必要な暗号鍵と、当該映像データの蓄積期間を制限するための有効期限情報（利用期限情報）が含まれている。
図６は、本発明の第２の実施形態に係る蓄積装置１０１の処理手順の一例を説明するためのフロー図である。本例では、所定期間だけ蓄積可能な映像データ（Ｃｏｐｙ  Ｎｅｖｅｒ）を、リムーバブル記録媒体１１１に一時的に蓄積する方法について説明する。尚、図６のフローには図示していないが、受信部１０３において、映像データに重畳されたデジタルコピー制御記述子を抽出しており、制御部１０５には、受信している映像データがＣｏｐｙ  Ｎｅｖｅｒであることが入力されている。ここで、一時蓄積をおこなっていない通常の視聴状態における処理については、第１の実施形態における図２に示した処理と同様であり、ここでの説明は省略する。
【００５１】
まず、蓄積装置１０１において、制御部１０５は、映像データに関するライセンス情報を生成する（ステップＳ３１）。ライセンス生成時には、暗号化した映像データを復号化するために必要な復号情報として暗号鍵Ｋｃを生成する。また、図９に示したＲｅｔｅｎｔｉｏｎ  Ｔｉｍｅの情報に基づき、当該映像データの蓄積期間を制限するための利用期限情報も設定する。これらの情報を含むライセンス情報は、外部入出力Ｉ／Ｆ１０２を介して、リムーバブル記録媒体１１１のセキュア領域に記録される。次に、蓄積装置１０１は、受信部１０３から映像データを入力し（ステップＳ３２）、受信部１０３からの映像データをバッファ１０８に一時的に蓄積し（ステップＳ３３）、暗号化部１０６はバッファ１０８の映像データを、暗号鍵Ｋｃで暗号化する（ステップＳ３４）。次に、蓄積装置１０１は、暗号化された映像データを外部入出力Ｉ／Ｆ１０２経由で、リムーバブル記録媒体１１１に記録する（ステップＳ３５）。
【００５２】
この際、第１の実施形態と同様に、リムーバブル記録媒体１１１に記録された映像データは、Ｒｅｔｅｎｔｉｏｎ  Ｔｉｍｅに記録された時間で再生不能化処理がなされる。Ｒｅｔｅｎｔｉｏｎ  Ｔｉｍｅは、受信部１０３において抽出され、制御部１０５に入力される。制御部１０５は、外部入出力Ｉ／Ｆ１０２を介して、再生不能化処理を行う。再生不能化処理は、ＤＶＤレコーダなどの所謂シーン消去の機能などと同様にして実現することができる。また、制御部１０５は、ライセンス情報に含まれる映像データの利用期限情報の更新処理を行う。これは、制御部１０５が、当該映像データがリムーバブル記録媒体１１１に蓄積された期間をカウントし、カウントした期間に基づいて利用期限情報を更新処理する。その更新処理後の利用期限情報を含むライセンス情報はリムーバブル記録媒体１１１に保持される。
【００５３】
図７は、本発明の第２の実施形態に係る蓄積装置１０１の処理手順の他の例を説明するためのフロー図である。本例では一時的に蓄積された映像データを再生する方法について説明する。まず、蓄積装置１０１は、リムーバブル記録媒体１１１からライセンス情報を取得する（ステップＳ４１）。本実施形態においては、ライセンス情報がリムーバブル記録媒体１１１に保持されているので、このリムーバブル記録媒体１１１を別の記録再生装置等に接続した場合でも、記録されている映像データを利用可能となる。次に、蓄積装置１０１は、外部入出力Ｉ／Ｆ１０２を介してリムーバブル記録媒体１１１に記録されている暗号化された映像データを取得する（ステップＳ４２）。次に、暗号化部１０６において暗号鍵Ｋｃで復号化処理を行い、バッファ１０８に復号結果を書き込む（ステップＳ４３）。バッファ１０８の復号化された映像データは再生部１０７に送られ（ステップＳ４４）、再生部１０７でデコード処理を行い、表示手段１１０に映像信号を出力する（ステップＳ４５）。
【００５４】
以上のようにすることで、コピー制御情報により複製禁止されたデータをリムーバブル記録媒体１１１に一時蓄積して利用することができる。本実施形態では、複製禁止データの利用期限情報を含むライセンス情報がリムーバブル記録媒体１１１に保持でき、また、複製禁止データの利用期限情報が更新処理されるため、その更新処理後の利用期限情報を含むライセンス情報がリムーバブル記録媒体１１１に保持される。この場合、蓄積装置１０１が電源断などで停止し、その後に起動した場合においても、利用期限を越えて複製禁止データを利用することはできない。但し、このリムーバブル記録媒体１１１を別の記録再生装置等に接続した場合、利用期限の範囲内で当該複製禁止データを利用することができる。また、本実施形態によれば、リムーバブル記録媒体１１１側に内部タイマ等を備える必要がないため、簡単な構成でコストを抑えることができる。
【００５５】
以上に説明した第１の実施形態と第２の実施形態において、リムーバブル記録媒体に暗号化したビデオ（映像）データを一時蓄積されたデータとして識別して記録することができる。データの識別方法としては、例えば下記のものが考えられる。
（１）データをファイルとして記録する場合のファイル名を特別なものにする。
（２）データのインデックスを持つようにし、そこに一時蓄積の属性を保持させる。
（３）第２の実施形態において、ライセンス情報の中に一時蓄積の属性を保持させる。
【００５６】
上記のようにして識別された一時蓄積されたデータは、蓄積装置の初期化時に消去するようにしても良い。これによりデータを、利用期限を越えて利用することを防止するだけでなく、リムーバブル記録媒体の記録領域を無駄なく有効に利用することができる。更に、第２の実施形態において、ライセンス情報中の利用期限を過ぎた場合には、対応する一時蓄積されたデータを消すようにすることで、上記と同様な効果を得ることができる。
【００５７】
＜第３の実施形態＞
図８は、本発明に係る蓄積装置を備えた映像表示装置の外観の一例を示す図で、図中、２００は映像表示装置で、該映像表示装置２００は、映像データを表示する表示手段２０１，図示しないリムーバブル記録媒体を着脱可能に接続するための外部入出力Ｉ／Ｆ２０２，表示手段２０１を保持する保持部２０３を備えている。映像表示装置２００は、図示しない蓄積装置を内蔵し、その蓄積装置は外部入出力Ｉ／Ｆ２０２を介してリムーバブル記録媒体と着脱可能に接続される。尚、図８（Ａ）は映像表示装置２００の正面図で、図８（Ｂ）は図８（Ａ）に示す映像表示装置２００を矢印の方向から見た側面図である。
【００５８】
本実施形態において、映像表示装置２００に内蔵される蓄積装置の基本構成は、第１の実施形態あるいは第２の実施形態において説明した蓄積装置と同様の構成とする。これにより、Ｃｏｐｙ  Ｎｅｖｅｒのデータの一時蓄積だけでなく、Ｃｏｐｙ  ＦｒｅｅやＣｏｐｙ  Ｏｎｃｅの映像データの一時蓄積やタイムシフト機能が利用可能となる。これについて、前述の図１に示した蓄積装置１を代表例として以下に説明する。
【００５９】
映像表示装置２００は、Ｃｏｐｙ  Ｎｅｖｅｒの映像データ（蓄積期間が制限された映像データ）が蓄積装置１から入力された場合、当該映像データを暗号化部６で暗号化し、暗号化映像データとしてリムーバブル記録媒体１１に一時的に蓄積する。一方、Ｃｏｐｙ  ＦｒｅｅやＣｏｐｙ  Ｏｎｃｅの映像データが蓄積装置１から入力された場合、当該映像データをリムーバブル記録媒体１１に一時的に蓄積する。この際、暗号化部６で暗号化してもよい。映像表示装置２００は、これらＣｏｐｙ  Ｎｅｖｅｒ，Ｃｏｐｙ  Ｆｒｅｅ，Ｃｏｐｙ  Ｏｎｃｅの映像データをリムーバブル記録媒体１１に一時蓄積することにより、タイムシフトを行う機能を備える。このタイムシフト機能は、前述したように、ハードディスク内蔵型レコーダにおいて実現されているが、本実施形態の映像表示装置２００は、着脱可能なリムーバブル記録媒体１１でタイムシフト機能を実現することができる。すなわち、リムーバブル記録媒体１１に映像データを一時的に蓄積しつつ、所定時間だけシフト（遅延）させて再生を行うことができる。
【００６０】
本実施形態の映像表示装置２００においても、第１の実施形態と第２の実施形態と同様に、リムーバブル記録媒体に暗号化したビデオ（映像）データを一時蓄積されたデータとして識別して記録することができる。また、この一時蓄積機能をリムーバブル記録媒体で実現することで、表示機能を備えただけの映像表示装置においても、タイムシフト機能を利用することができ、利用者の利便性を高めることができる。
【００６１】
なお、本実施形態において、外部入出力Ｉ／Ｆ２０２は表示手段２０１に内蔵されるように構成していたが、必ずしもこれに限定されず、例えば保持部２０３など、他の部位に内蔵されたり接続されたりするように構成しても良い。
【図１】
0004176128.tif 000002
【図２】
0004176128.tif 000003
【図３】
0004176128.tif 000004
【図４】
0004176128.tif 000005
【図５】
0004176128.tif 000006
【図６】
0004176128.tif 000007
【図７】
0004176128.tif 000008
【図８】
0004176128.tif 000009
【図９】
0004176128.tif 000010